(57)【要約】【課題】軽量であるとともに保温性に優れたプラスチック製断熱性容器を提供する。【解決手段】断熱性容器１０は、上部開口１１ａを有するプラスチック製外側容器１１と、上部開口１１ａを有する外側容器１１内に配置されたプラスチック製内側容器１２と、外側容器１１の上部開口１１ａに設けられたプラスチック製蓋１３とを備えている。外側容器１１はその一部に発泡層１４を含んでいる。このような構成により、断熱性容器１０を軽量であるとともに保温性に優れたものとすることができる。【選択図】図１
2010222037.tif 000002
【特許請求の範囲】
【請求項１】
上部開口を有するプラスチック製外側容器と、
上部開口を有する外側容器内に配置されたプラスチック製内側容器と、
外側容器の上部開口に設けられたプラスチック製蓋とを備え、
外側容器は発泡層を含むことを特徴とする断熱性容器。
【請求項２】
外側容器は底部開口を有し、この底部開口にプラスチック製底蓋材を取付けたことを特徴とする請求項１記載の断熱性容器。
【請求項３】
外側容器と内側容器との間に断熱材を介在させたことを特徴とする請求項１または２記載の断熱性容器。
【請求項４】
断熱材は、発泡ポリスチレン、発泡ウレタン、グラスウール、ポリエチレンテレフタレート、もしくはポリプロピレンを含むプラスチック製不織布、または真空断熱パネルからなることを特徴とする請求項３記載の断熱性容器。
【請求項５】
外側容器と内側容器とが互いに螺着または溶着されていることを特徴とする請求項１乃至４のいずれか一項記載の断熱性容器。
【請求項６】
外側容器と内側容器との間に、上部開口を有するプラスチック製中間容器を設けたことを特徴とする請求項１または２記載の断熱性容器。
【請求項７】
中間容器と内側容器との間に断熱材を介在させたことを特徴とする請求項６記載の断熱性容器。
【請求項８】
断熱材は、発泡ポリスチレン、発泡ウレタン、グラスウール、ポリエチレンテレフタレート、もしくはポリプロピレンを含むプラスチック製不織布、または真空断熱パネルからなることを特徴とする請求項７記載の断熱性容器。
【請求項９】
外側容器と中間容器との間に意匠シートを介在させたことを特徴とする請求項６乃至８のいずれか一項記載の断熱性容器。
【請求項１０】
外側容器と中間容器と内側容器とが互いに螺着または溶着されていることを特徴とする請求項６乃至９のいずれか一項記載の断熱性容器。
【請求項１１】
中間容器は発泡層を含むことを特徴とする請求項６乃至１０のいずれか一項記載の断熱性容器。
【請求項１２】
内側容器および蓋のうち少なくとも一方が発泡層を含むことを特徴とする請求項１乃至１１のいずれか一項記載の断熱性容器。
【請求項１３】
上部開口を有するプラスチック製外側容器と、
上部開口を有する外側容器内に配置されたプラスチック製内側容器と、
外側容器の上部開口に設けられたプラスチック製蓋とを備え、
外側容器と内側容器との間に断熱材を介在させたことを特徴とする断熱性容器。
【請求項１４】
断熱材は、発泡ポリスチレン、発泡ウレタン、グラスウール、ポリエチレンテレフタレート、もしくはポリプロピレンを含むプラスチック製不織布、または真空断熱パネルからなることを特徴とする請求項１３記載の断熱性容器。
【請求項１５】
外側容器または蓋にＩＣタグを設けたことを特徴とする請求項１乃至１４のいずれか一項記載の断熱性容器。
【請求項１６】
外側容器は、ＩＣタグを含むプラスチックシート層を有するインモールドラベル容器からなることを特徴とする請求項１乃至１４のいずれか一項記載の断熱性容器。
【発明の詳細な説明】
【技術分野】
【０００１】
本発明は、飲料等を充填する断熱性容器に係り、とりわけ軽量であるとともに保温性に優れた断熱性容器に関する。
【背景技術】
【０００２】
近年、環境問題への関心の高まりやファッション性などの理由から、紙カップ等の使い捨て容器をできるだけ使用せず、魔法瓶等の蓋付の容器によって飲料を持ち歩く人が増えてきている。また、コーヒーショップに蓋付のマイカップを直接持って行き、この蓋付のマイカップに飲料を入れてもらった後、自分のオフィス等で飲料をゆっくり飲むという行動をとる人も増えてきている。この結果、蓋付の容器に対する需要が高まってきている。
【先行技術文献】
【特許文献】
【０００３】
【特許文献１】特開平９−１３１７５３号公報
【発明の概要】
【発明が解決しようとする課題】
【０００４】
しかしながら、このような蓋付の容器のうち、魔法瓶は保温性に優れているが、容器の一部がガラス製またはステンレス製であるため、非常に重量が重いという問題がある。一方、携帯性に優れている蓋付の容器として、プラスチック製容器、アルミなどの金属製容器等が存在する。このような容器は軽量ではあるが、保温性に劣るという問題がある。
【０００５】
本発明はこのような点を考慮してなされたものであり、軽量であるとともに保温性に優れた断熱性容器を提供することを目的とする。
【課題を解決するための手段】
【０００６】
本発明は、上部開口を有するプラスチック製外側容器と、上部開口を有する外側容器内に配置されたプラスチック製内側容器と、外側容器の上部開口に設けられたプラスチック製蓋とを備え、外側容器は発泡層を含むことを特徴とする断熱性容器である。
【０００７】
本発明は、外側容器は底部開口を有し、この底部開口にプラスチック製底蓋材を取付けたことを特徴とする断熱性容器である。
【０００８】
本発明は、外側容器と内側容器との間に断熱材を介在させたことを特徴とする断熱性容器である。
【０００９】
本発明は、断熱材は、発泡ポリスチレン、発泡ウレタン、グラスウール、ポリエチレンテレフタレート、もしくはポリプロピレンを含むプラスチック製不織布、または真空断熱パネルからなることを特徴とする断熱性容器である。
【００１０】
本発明は、外側容器と内側容器とが互いに螺着または溶着されていることを特徴とする断熱性容器である。
【００１１】
本発明は、外側容器と内側容器との間に、上部開口を有するプラスチック製中間容器を設けたことを特徴とする断熱性容器である。
【００１２】
本発明は、中間容器と内側容器との間に断熱材を介在させたことを特徴とする断熱性容器である。
【００１３】
本発明は、断熱材は、発泡ポリスチレン、発泡ウレタン、グラスウール、ポリエチレンテレフタレート、もしくはポリプロピレンを含むプラスチック製不織布、または真空断熱パネルからなることを特徴とする断熱性容器である。
【００１４】
本発明は、外側容器と中間容器との間に意匠シートを介在させたことを特徴とする断熱性容器である。
【００１５】
本発明は、外側容器と中間容器と内側容器とが互いに螺着または溶着されていることを特徴とする断熱性容器である。
【００１６】
本発明は、中間容器は発泡層を含むことを特徴とする断熱性容器である。
【００１７】
本発明は、内側容器および蓋のうち少なくとも一方が発泡層を含むことを特徴とする断熱性容器である。
【００１８】
本発明は、上部開口を有するプラスチック製外側容器と、上部開口を有する外側容器内に配置されたプラスチック製内側容器と、外側容器の上部開口に設けられたプラスチック製蓋とを備え、外側容器と内側容器との間に断熱材を介在させたことを特徴とする断熱性容器である。
【００１９】
本発明は、断熱材は、発泡ポリスチレン、発泡ウレタン、グラスウール、ポリエチレンテレフタレート、もしくはポリプロピレンを含むプラスチック製不織布、または真空断熱パネルからなることを特徴とする断熱性容器である。
【００２０】
本発明は、外側容器または蓋にＩＣタグを設けたことを特徴とする断熱性容器である。
【００２１】
本発明は、外側容器は、ＩＣタグを含むプラスチックシート層を有するインモールドラベル容器からなることを特徴とする断熱性容器である。
【発明の効果】
【００２２】
以上のように本発明によれば、断熱性容器は、プラスチック製内側容器とプラスチック製外側容器との二重構造からなり、また外側容器は発泡層を含んでいる。このことにより、断熱性容器の保温性が高められる。また、内側容器、外側容器、および蓋がいずれもプラスチックからなっているので、断熱性容器全体を軽量にすることができる。
【図面の簡単な説明】
【００２３】
【図１】図１は、本発明の第１の実施の形態による断熱性容器を示す概略断面図。
【図２】図２（ａ）〜（ｃ）は、外側容器（内側容器、蓋）の層構成を示す概略断面図。
【図３】図３（ａ）〜（ｂ）は、外側容器の層構成を示す概略断面図。
【図４】図４（ａ）〜（ｈ）は、外側容器の製造方法を示す図。
【図５】図５（ａ）（ｂ）は、それぞれ内側容器および蓋の製造方法を示す図。
【図６】図６は、断熱性容器が用いられる自動販売機を示す概略正面図。
【図７】図７は、本発明の第２の実施の形態による断熱性容器を示す概略断面図。
【図８】図８は、本発明の第３の実施の形態による断熱性容器を示す概略断面図。
【発明を実施するための形態】
【００２４】
第１の実施の形態
以下、図面を参照して本発明の第１の実施の形態について説明する。図１乃至図６は、本発明の第１の実施の形態を示す図である。
【００２５】
まず図１により、本実施の形態による断熱性容器の概略について説明する。
【００２６】
図１に示す本実施の形態による断熱性容器１０は、上部開口１１ａを有する有底円筒状のプラスチック製外側容器１１と、上部開口１１ａを有する外側容器１１内に配置された有底円筒状のプラスチック製内側容器１２と、外側容器１１の上部開口１１ａに設けられたプラスチック製蓋１３とを備えている。
【００２７】
このうち外側容器１１の上端内周に、内周ねじ部１１ｂが形成されている。また内側容器１２の上端外周に、外周ねじ部１２ａが形成されている。そして外側容器１１の内周ねじ部１１ｂと内側容器１２の外周ねじ部１２ａとを螺着することにより、外側容器１１と内側容器１２とが互いに組み付けられている。
【００２８】
なお、これに限らず、外側容器１１と内側容器１２とを、例えばレーザー溶着、超音波溶着、熱溶着等の手法を用いて互いに溶着しても良い。
【００２９】
また、外側容器１１の上端外周に外周ねじ部１１ｃが形成され、蓋１３の内周に蓋ねじ部１３ａが形成されている。そして外側容器１１の外周ねじ部１１ｃと蓋１３の蓋ねじ部１３ａとを螺合することにより、外側容器１１と蓋１３とが互いに取り外し可能に取付けられている。なお、断熱性容器１０の保温性を更に高めるために、蓋１３と外側容器１１（または内側容器１２）との間にパッキンを介設しても良い。
【００３０】
外側容器１１と内側容器１２との間には、断熱材１５が介在されている。この断熱材１５は、高い断熱性を有する材料、例えば発泡ポリスチレン、発泡ウレタン、グラスウール、ポリエチレンテレフタレート、もしくはポリプロピレンを含むプラスチック製不織布、または真空断熱パネル等からなっている。断熱材１５は、図１に示すように外側容器１１と内側容器１２との間の空間全域わたって設けても良いが、当該空間の一部（例えば側面部）のみに設けても良い。
【００３１】
また、蓋１３に第１のＩＣタグ３３が設けられている。この第１のＩＣタグ３３には、蓋１３側のＩＣタグであることを示す情報（蓋認識情報）が記憶されている。このことにより、蓋１３が装着されたまま断熱性容器１０を自動販売機３０（図６）内に収容した場合に、自動販売機３０がこれを検知し、飲料を誤って充填しないようになっている。
【００３２】
他方、外側容器１１には第２のＩＣタグ３４が設けられている。この第２のＩＣタグ３４は、自動販売機３０により販売される飲料等の種類や量等を決定するためのものである。第２のＩＣタグ３４には、断熱性容器１０毎に異なる個別の識別情報（例えばＩＤナンバー等）が記憶されている。
【００３３】
第１のＩＣタグ３３および第２のＩＣタグ３４としては、通常のＩＣタグを用いることができるが、耐熱性および耐水性のあるＩＣタグを使用することが好ましい。第１のＩＣタグ３３および第２のＩＣタグ３４の使用周波数としては、ＵＨＦ、ＲＦ（１３．５６ＭＨｚ）のいずれも使用可能である。
【００３４】
第１のＩＣタグ３３および第２のＩＣタグ３４の取付方法としては、粘着材を介してそれぞれ蓋１３および外側容器１１に貼着するほか、後述するようにＩＣタグ付きプラスチック層を一体成型する方法を用いても良い。
【００３５】
なお、第１のＩＣタグ３３および第２のＩＣタグ３４のうち、いずれか一方のみを設けることも可能であり、あるいは、第１のＩＣタグ３３および第２のＩＣタグ３４を両方とも設けない構成も可能である。
【００３６】
ところで、外側容器１１は、図２（ａ）〜（ｃ）に示すように、少なくともその一部に発泡層１４を含んでいることが好ましい。例えば図２（ａ）において、外側容器１１は、外側に位置するプラスチックシート層２０と、プラスチックシート層２０に積層され、内側（内側容器１２側）に位置する発泡層１４とを有している。または、図２（ｂ）に示すように、外側容器１１が、一対のプラスチックシート層２０Ａ、２０Ｂと、一対のプラスチックシート層２０Ａ、２０Ｂ間に介在された発泡層１４とから構成されていても良い。あるいは、図２（ｃ）に示すように、外側容器１１が発泡層１４単層からなっていても良い。
【００３７】
発泡層１４は、例えば発泡ポリプロプレン（ＰＰ）、または発泡ポリエチレン（ＰＥ）等の発泡樹脂から構成することができる。
【００３８】
他方、プラスチックシート層２０は、例えばポリプロプレン（ＰＰ）、ポリエチレンテレフタレート（ＰＥＴ）、ポリエチレン（ＰＥ）、ポリカーボネート（ＰＣ）、アクリル、ウレタン、エチレン酢酸ビニール共重合樹脂（ＥＶＡ）、ポリアクリロニトリル（ＰＡＮ）、ポリエチレンナフタレート（ＰＥＮ）、環状ポリオレフィン、またはアクリロニトリル／ブタジエン／スチレン共重合樹脂（ＡＢＳ）等からなっている。
【００３９】
あるいは、図３（ａ）（ｂ）に示すように、外側容器１１が、プラスチックシート層２０および発泡層１４からなり、このうちプラスチックシート層２０が、複数の層を積層したものであっても良い。
【００４０】
図３（ａ）において、プラスチックシート層２０は、外側から順に、例えば外側プラスチック層２１／印刷層２２／接着剤層２３／内側プラスチック層２４からなっている。このうち外側プラスチック層２１は、例えば延伸ポリプロピレン（ＯＰＰ）からなり、内側プラスチック層２４は、例えば未延伸ポリプロピレン（ＣＰＰ）からなっている。
【００４１】
また図３（ｂ）に示すように、外側容器１１が第２のＩＣタグ３４を含むプラスチックシート層２０を有するインモールドラベル容器からなっていてもよい。この場合、プラスチックシート層２０は、外側から順に、例えばＩＣタグ付きプラスチック層２５／粘着材層２６／外側プラスチック層２１／印刷層２２／接着剤層２３／内側プラスチック層２４からなっている。このうちＩＣタグ付きプラスチック層２５は、第２のＩＣタグ３４を埋設した例えばポリプロプレン（ＰＰ）層からなっている。
【００４２】
なお、図３（ａ）（ｂ）において、断熱性容器１０内の中身を保護するため、内側プラスチック層２４に遮光性を付与しても良い。また、内側プラスチック層２４の一部に遮光性を有する着色層を設けても良い。
【００４３】
他方、内側容器１２および蓋１３は、例えばポリプロプレン（ＰＰ）、ポリエチレンテレフタレート（ＰＥＴ）、ポリエチレン（ＰＥ）、ポリカーボネート（ＰＣ）、アクリル、ウレタン、エチレン酢酸ビニール共重合樹脂（ＥＶＡ）、ポリアクリロニトリル（ＰＡＮ）、ポリエチレンナフタレート（ＰＥＮ）、環状ポリオレフィン、またはアクリロニトリル／ブタジエン／スチレン共重合樹脂（ＡＢＳ）等の材料からなっている。
【００４４】
あるいは、外側容器１１と同様に、内側容器１２および蓋１３のうち少なくとも一方の一部に発泡層１４が含まれていてもよい（図２（ａ）〜（ｃ））。この場合、断熱性容器１０の断熱性を更に高めることができる。
【００４５】
次に、このような構成からなる本実施の形態の作用について説明する。具体的には、外側容器１１が上述したインモールドラベル容器からなる場合（図３（ｂ）参照）を例にとって説明する。
【００４６】
まず、上述した断熱性容器１０の製造方法について説明する。はじめに、外側容器１１の製造方法について、図４（ａ）〜（ｈ）を用いて説明する。
【００４７】
この際、まず、例えば（シート状の）延伸ポリプロピレン（ＯＰＰ）からなる外側プラスチック層２１を準備する（図４（ａ））。次に、外側プラスチック層２１の一面に、例えばインクジェット方式、昇華転写（ＳＴ）方式、または熱転写（ＴＲ）方式のデジタルプリンタまたはグラビア印刷法等を用いて印刷層２２を印刷形成する（図４（ｂ））。次に、印刷層２２上に、接着剤層２３を介して例えば未延伸ポリプロピレン（ＣＰＰ）からなる内側プラスチック層２４を積層する（図４（ｃ））。他方、外側プラスチック層２１のうち印刷層２２を形成していない面に、粘着材層２６を介してＩＣタグ付きプラスチック層２５を積層する（図４（ｄ））。このようにして、（シート状の）プラスチックシート層２０が得られる。
【００４８】
次に、（シート状の）プラスチックシート層２０を外側容器１１の形状に適合した形に打ち抜く（図４（ｅ））。続いて、外側容器１１に対応する形状を有する外側容器用成形金型３５を用いて成形を行う。この際、まず、外側容器用成形金型３５の雌型３６に外側プラスチック層２１が向くようにして、打ち抜かれたプラスチックシート層２０を仮着させる（図４（ｆ））。続いて、外側容器用成形金型３５の雄型３７と雌型３６とを閉合し、雄型３７側に設けられた射出用ゲート３８から例えば発泡ＰＰからなる溶融樹脂（発泡層１４）を圧入する（図４（ｇ））。溶融樹脂が冷却固化した後、外側容器用成形金型３５の雄型３７および雌型３６を開放する（図４（ｈ））。これにより、プラスチックシート層２０と発泡層１４とが一体化した外側容器１１が得られる。
【００４９】
次に、内側容器１２に対応する形状を有する内側容器用成形金型６０を用いて成形を行い、内側容器１２を製造する（図５（ａ））。この際、内側容器用成形金型６０の雄型６１と雌型６２とを閉合し、雄型６１側または雌型６２側に設けられた射出用ゲート６３から例えばＰＰからなる溶融樹脂を圧入する。溶融樹脂が冷却固化した後、内側容器用成形金型６０を開放することにより、内側容器１２が得られる。
【００５０】
次に、蓋１３に対応する形状を有する蓋用成形金型６５を用いて成形を行い、蓋１３を製造する（図５（ｂ））。この際、蓋用成形金型６５の雄型６６と雌型６７とを閉合し、雄型６６側または雌型６７側に設けられた射出用ゲート６８から例えばＰＰからなる溶融樹脂を圧入する。溶融樹脂が冷却固化した後、蓋用成形金型６５を開放することにより、蓋１３が得られる。次いで、蓋１３に粘着材を介して第１のＩＣタグ３３を貼着しても良い。
【００５１】
その後、外側容器１１と内側容器１２とを組み合わせる。この際、外側容器１１と内側容器１２との間に断熱材１５を配設する。最後に、外側容器１１に蓋１３を装着することにより、図１に示す断熱性容器１０が得られる。
【００５２】
次に、断熱性容器１０を用いて自動販売機３０で飲料を購入する方法について、図６を参照して説明する。
【００５３】
まず蓋１３を取り外した状態で、自動販売機３０内の所定位置に外側容器１１および内側容器１２の組合体（以下、容器本体１０Ａともいう）を載置する（図６）。続いて、ユーザーが、自動販売機３０前面に設けられた操作ボタン２９を操作（押下）する。
【００５４】
この際、自動販売機３０の読出装置３１が、第２のＩＣタグ３４から識別情報を読み出す。続いて自動販売機３０は、この識別情報に基づいて、容器本体１０Ａに所定の飲料（例えば前回購入した飲料と同じ飲料）を充填する。なお、この際、読出装置３１が蓋１３に設けられた第１のＩＣタグ３３から蓋認識情報を読み出した場合、蓋１３が装着されたままであるため、自動販売機３０は容器本体１０Ａに飲料を充填しないように制御される。
【００５５】
なお、第１のＩＣタグ３３および第２のＩＣタグ３４を用いることなく、ユーザーにより操作ボタン２９が操作された際、この操作内容に従って、そのまま容器本体１０Ａに飲料を充填しても良い。
【００５６】
このようにして容器本体１０Ａの内側容器１２内に飲料を充填した後、蓋１３を外側容器１１に装着する。ここで断熱性容器１０は、外側容器１１と内側容器１２との二重構造になっており、外側容器１１は発泡層１４を含んでいる。さらに外側容器１１と内側容器１２との間に、断熱材１５が介在されている。したがって、内側容器１２内の飲料の熱が外方に逃げにくく、飲料を保温してその温度を長時間略一定に保つことができる。
【００５７】
このように本実施の形態によれば、断熱性容器１０は、プラスチック製内側容器１２とプラスチック製外側容器１１との二重構造からなり、また外側容器１１は発泡層１４を含んでいる。このことにより、断熱性容器１０の保温性が高められている。さらに、外側容器１１と内側容器１２との間に断熱材１５を介在させたことにより、断熱性容器１０の断熱性および保温性が更に高められている。
【００５８】
また本実施の形態によれば、断熱性容器１０を構成する外側容器１１、内側容器１２、および蓋１３がいずれもプラスチック材料からなっているので、断熱性容器１０全体を軽量化することができる。
【００５９】
また本実施の形態によれば、蓋１３に第１のＩＣタグ３３を設けているので、蓋１３が装着されたまま断熱性容器１０を自動販売機３０（図６）内に収容した場合に、誤って飲料が充填されないようになっている。また、外側容器１１に第２のＩＣタグ３４を設けているので、第２のＩＣタグ３４に記憶された識別情報に基づき、自動で飲料を充填することができる。
【００６０】
また本実施の形態によれば、プラスチックシート層２０において、外側プラスチック層２１上に印刷層２２が印刷形成されているので、そのデザインを自由に設定することができ、意匠性を高めることができる。
【００６１】
また本実施の形態によれば、外側容器１１はインモールドラベル容器からなっているので、外側容器１１の外観のデザインの自由度が高く、かつ低コストで製造することができる。
【００６２】
なお本実施の形態において、外側容器１１と内側容器１２との間に断熱材１５を介在させた場合、外側容器１１が発泡層１４を含まなくても良い。
【００６３】
第２の実施の形態
次に、本発明の第２の実施の形態について図７を参照して説明する。図７は、本発明の第２の実施の形態を示す図である。図７に示す第２の実施の形態は、外側容器が底部開口を有し、この外側容器の底部開口にプラスチック製底蓋材を取付けた点が異なるものであり、他の構成は上述した第１の実施の形態と略同一である。図７において、図１乃至図６に示す第１の実施の形態と同一部分には同一の符号を付して詳細な説明は省略する。
【００６４】
図７において、断熱性容器４０は、上部開口４１ａを有する円筒状のプラスチック製外側容器４１と、上部開口４１ａを有する外側容器４１内に配置され、下方に向けて縮径する有底筒状のプラスチック製内側容器４２と、外側容器４１の上部開口４１ａに設けられたプラスチック製蓋４３とを備えている。
【００６５】
このうち外側容器４１は底部開口４１ｄを更に有し、この底部開口４１ｄ内周に底ねじ部４１ｅが形成されている。また、外側容器４１の底部開口４１ｄにプラスチック製底蓋材４６が取付けられている。底蓋材４６は、底蓋材４６の上面に形成された環状のリブ４６ｂと、リブ４６ｂ外周に設けられた底蓋材ねじ部４６ａとを有している。そして外側容器１１の底ねじ部４１ｅと底蓋材４６の底蓋材ねじ部４６ａとを螺合することにより、外側容器１１と底蓋材４６とが組み付けられている。
【００６６】
また外側容器４１の上端外周に段部４１ｂが形成され、内側容器４２の上端外周に環状の係合部４２ａが形成されている。そして外側容器４１の段部４１ｂと内側容器４２の係合部４２ａとを係合させ、さらに例えばレーザー溶着、超音波溶着、熱溶着等の手法を用いて互いに溶着することにより、外側容器４１と内側容器４２とが結合されている。なお、図１に示す場合と同様に、外側容器４１と内側容器４２とを互いに螺着して結合しても良い。
【００６７】
他方、内側容器４２の上端内周に内周ねじ部４２ｂが形成され、蓋４３底面のリブ４３ｂに蓋ねじ部４３ａが形成されている。そして内周ねじ部４２ｂと蓋ねじ部４３ａとを螺合することにより、内側容器４２と蓋４３とが互いに取り外し可能に取付けられている。なお、断熱性容器１０の保温性を更に高めるために、蓋４３と内側容器４２との間にパッキンを介設しても良い。
【００６８】
なお、断熱材１５、第１のＩＣタグ３３、および第２のＩＣタグ３４の構成は、既に説明した構成と同様であるのでここでは説明を省略する。
【００６９】
なお外側容器４１、内側容器４２、および蓋４３（底蓋材４６）の材質は、上述した外側容器１１、内側容器１２、および蓋１３の材質と同様である。また外側容器４１、内側容器４２、蓋４３、および底蓋材４６のうち少なくともいずれかの一部に発泡層１４が含まれていても良い。この発泡層１４の構成については、図２（ａ）〜（ｃ）および図３（ａ）（ｂ）を用いて既に説明したので、ここでは説明を省略する。
【００７０】
本実施の形態によれば、外側容器４１の底部開口４１ｄに底蓋材４６を取付けたので、底蓋材４６を外側容器４１から取り外すことにより、断熱材１５の取付けや交換を容易に行うことができる。
【００７１】
このほか、第１の実施の形態で説明した効果と同様の効果を得ることもできる。
【００７２】
第３の実施の形態
次に、本発明の第３の実施の形態について図８を参照して説明する。図８は、本発明の第３の実施の形態を示す図である。図８に示す第３の実施の形態は、外側容器と内側容器との間に、上部開口を有する中間容器を設けた点が異なるものであり、他の構成は上述した第２の実施の形態と略同一である。図８において、図１乃至図６に示す第１の実施の形態および図７に示す第２の実施の形態と同一部分には同一の符号を付して詳細な説明は省略する。
【００７３】
図８に示す断熱性容器５０において、外側容器４１と内側容器４２との間に、上部開口５４ａを有する有底筒状のプラスチック製中間容器５４が設けられている。この中間容器５４は、その上端部において、例えばレーザー溶着、超音波溶着、熱溶着等の手法を用いて外側容器４１および内側容器４２に溶着されている。あるいは、外側容器４１と内側容器４２と中間容器５４とを互いに螺着しても良い。
【００７４】
中間容器５４の材質は、例えばポリプロプレン（ＰＰ）、ポリエチレンテレフタレート（ＰＥＴ）、ポリエチレン（ＰＥ）、ポリカーボネート（ＰＣ）、アクリル、ウレタン、エチレン酢酸ビニール共重合樹脂（ＥＶＡ）、ポリアクリロニトリル（ＰＡＮ）、ポリエチレンナフタレート（ＰＥＮ）、環状ポリオレフィン、またはアクリロニトリル／ブタジエン／スチレン共重合樹脂（ＡＢＳ）等からなっている。なお中間容器５４の一部に発泡層１４が含まれていても良い。
【００７５】
また本実施の形態において、断熱材１５が、内側容器４２と中間容器５４との間に介在されている。他方、中間容器５４と外側容器４１との間の空間には、円筒状の意匠シート５５が介在されている。この意匠シート５５は、模様や絵柄等が付された紙または樹脂フィルム等のシートからなっており、底蓋材４６を取り外すことにより交換可能となっている。本実施の形態において、意匠シート５５の模様や絵柄を外方から視認できるようにするために、外側容器４１のうち少なくとも一部を透明にすることが好ましい。
【００７６】
本実施の形態によれば、底蓋材４６を外側容器４１から取り外すことにより、意匠シート５５の挿着や交換を容易に行うことができる。また意匠シート５５を交換することにより、断熱性容器５０のデザインの自由度を高めることができる。
【００７７】
このほか、第１の実施の形態で説明した効果と同様の効果を得ることもできる。
【００７８】
なお本実施の形態において、意匠シート５５を交換する必要がない場合には、底蓋材４６を設けず、外側容器４１を有底筒状に構成しても良い。
【符号の説明】
【００７９】
１０        断熱性容器
１０Ａ      容器本体
１１        外側容器
１２        内側容器
１３        蓋
１４        発泡層
１５        断熱材
２０、２０Ａ、２０Ｂ  プラスチックシート層
２１        外側プラスチック層
２２        印刷層
２３        接着剤層
２４        内側プラスチック層
２５        ＩＣタグ付きプラスチック層
２６        粘着材層
３０        自動販売機
３３        第１のＩＣタグ
３４        第２のＩＣタグ
４０        断熱性容器
４１        外側容器
４２        内側容器
４３        蓋
４６        底蓋材
５０        断熱性容器
５４        中間容器
５５        意匠シート
【図１】
2010222037.tif 000003
【図２】
2010222037.tif 000004
【図３】
2010222037.tif 000005
【図４】
2010222037.tif 000006
【図５】
2010222037.tif 000007
【図６】
2010222037.tif 000008
【図７】
2010222037.tif 000009
【図８】
2010222037.tif 000010